(57)【要約】【課題】迅速に展張を行うことができる防潮・防波堤の展張方法および防潮・防波堤を提供すること。【解決手段】水路の深さ方向全水深に亘って延びるとともに幅方向で前記水路間に亘って延びる膜構造物１を備えた防潮・防波堤の展張方法において、水路中央部に位置し水深方向及び長手方向に畳まれた状態の膜構造物１の両端を水路の両岸に展張させ、次いで深さ方向に展張することを特徴とする。【選択図】      図１
2004176452.tif 000002
【特許請求の範囲】
【請求項１】
水路の深さ方向全水深に亘って延びるとともに幅方向で前記水路間に亘って延びる膜構造物を備えた防潮・防波堤の展張方法において、
水路中央部に位置し水深方向及び長手方向に畳まれた状態の膜構造物の両端を水路の両岸に展張させ、次いで深さ方向に展張することを特徴とする防潮・防波堤の展張方法。
【請求項２】
水路の深さ方向全水深に亘って延びるとともに幅方向で前記水路間に亘って延びる膜構造物を備えた防潮・防波堤の展張方法において、
水路にせり出した状態と、水路から退いた状態とに位置することができる梁に、前記膜構造物が上端を固定され、かつ格納自在に設けられ、
前記膜構造物を前記梁に格納した状態で該梁を水路にせり出させ、次いで膜構造物を水中に展張することを特徴とする防潮・防波堤の展張方法。
【請求項３】
水路の深さ方向全水深に亘って延びるとともに幅方向で前記水路間に亘って延びる膜構造物を備えた防潮・防波堤において、
水路にせり出した状態と、水路から退いた状態とに位置することができる梁を備え、該梁に、前記膜構造物が上端を固定され、かつ格納自在に設けられていることを特徴とする防潮・防波堤。
【請求項４】
水路の深さ方向全水深に亘って延びるとともに幅方向で前記水路間に亘って延びる膜構造物を備えた防潮・防波堤の展張方法において、
両端がそれぞれ梁に固定された膜構造物を、水底または水面において、前記膜構造物が略水平面を向いた状態のまま展張し、次いで前記両方の梁を略垂直姿勢とすることを特徴とする防潮・防波堤の展張方法。
【請求項５】
水路の深さ方向全水深に亘って延びるとともに幅方向で前記水路間に亘って延びる膜構造物を備えた防潮・防波堤において、
前記膜構造物は、梁と梁との間に張られ、該梁は、前記水路両岸に設けられた基礎に、前記水路に沿って一方向からの水圧により脱落可能に固定されていることを特徴とする防潮・防波堤。
【請求項６】
水路の深さ方向全水深に亘って延びるとともに幅方向で前記水路間に亘って延びる膜構造物を備えた防潮・防波堤の展張方法において、
膜構造物の上端に浮体が設けられていると共に、該膜構造物は前記浮体に格納可能に設けられ、該浮体は、長手方向の一端を回転中心として水路の長手方向に沿った方向の姿勢と、水路を横断する方向の姿勢とを取ることができ、
前記膜構造物を前記浮体に格納した状態で該浮体を水路を横断する方向に変え、次いで膜構造物を水中に展張させることを特徴とする防潮・防波堤の展張方法。
【請求項７】
水路の深さ方向全水深に亘って延びるとともに幅方向で前記水路間に亘って延びる膜構造物を備えた防潮・防波堤において、
前記膜構造物の上端に浮体が設けられていると共に、該膜構造物は前記浮体に格納可能に設けられ、前記浮体は、長手方向の一端を回転中心として水路の長手方向に沿った方向の姿勢と、水路を横断する方向の姿勢とを取ることができることを特徴とする防潮・防波堤。
【請求項８】
水路の深さ方向全水深に亘って延びるとともに幅方向で前記水路間に亘って延びる膜構造物を備えた防潮・防波堤の展張方法において、
膜構造物の上端に浮体が設けられていると共に、前記膜構造物は前記浮体に格納可能に設けられ、前記浮体は、伸長して水路の両岸に渡された状態と、長手方向一端部側に収縮した状態とを取ることができ、
前記膜構造物を前記浮体に格納した状態で該浮体を伸長して水路を渡し、次いで膜構造物を水中に展張させることを特徴とする防潮・防波堤の展張方法。
【請求項９】
水路の深さ方向全水深に亘って延びるとともに幅方向で前記水路間に亘って延びる膜構造物を備えた防潮・防波堤において、
膜構造物の上端に浮体が設けられていると共に、前記膜構造物は前記浮体に格納可能に設けられ、前記浮体は、伸長して水路の両岸に渡された状態と、長手方向一端部側に収縮した状態とを取ることができることを特徴とする防潮・防波堤。
【発明の詳細な説明】
【０００１】
【発明の属する技術分野】
本発明は、防潮・防波堤に関する。
【０００２】
【従来の技術】
図１１〜図１４に従来の防潮・防波堤の構成を示した。従来の防潮・防波堤では、海側と川側の境界位置において、川を挟んで左右両側で海に面して配置された防波堤３Ｒ、３Ｌは、川の両側で対峙する両端位置にそれぞれアンカレイジ２Ｒ、２Ｌを設け、同アンカレイジ２Ｒ、２Ｌに端部を係止されてその間に延び、前記防波堤３Ｒ，３Ｌで入口を規制された水路を開閉する遮蔽体となる膜構造物１を設けている。
そしてこの膜構造物１は、図１３，図１４に示すように、軸剛性抵抗を受けるケーブルワイヤ１ｂを上下方向（水深方向）で互いに所定間隔離して複数本配置し、各ケーブルワイヤ１ｂを支持すべく複数の梁部材１ｃ（鉄鋼材、樹脂材等）をケーブルワイヤ１ｂの長手方向で所定間隔離した位置で水深方向に伸ばして各ケーブルワイヤ１ｂと直交させて設け、同ケーブルワイヤ１ｂと梁部材１ｃを係止させ、これにテフロン（登録商標）膜、アラミド繊維、ＦＲＰ等の材質で形成した膜部材１ａを海側より張り付く形に係止させ、テンション構造で構成している。
【０００３】
左右両側の防波堤３Ｒ，３Ｌで入口を規制した水路を閉塞したときには、図１１に示すように、港外側の水位上昇により、展張された膜構造物には図示矢印方向からの水圧を受ける。
その断面内の水圧に対しては、前記膜部材１ａで支持させ、その水圧により生ずる軸方向（水路幅方向）への引張力はケーブルワイヤ１ｂで受け、その引張力に対向させるべく反力（図中矢印）に対してはアンカレイジ２Ｒ、２Ｌにより支持する（例えば、特許文献１参照。）。
【０００４】
【特許文献１】
特開２０００−２８２４３４号公報  （第３頁、第１図）
【０００５】
【発明が解決しようとする課題】
このように構成された上記従来の防潮・防波堤は、締め切る部分が航路であることを考慮すると、なるべく最小限の時間で開閉できる構造であることが望まれている。その展張をスムーズに行う技術の開発が望まれている。
【０００６】
本発明は上記事情に鑑みて成されたものであり、迅速に展張を行うことができる防潮・防波堤の展張方法および防潮・防波堤を提供することを目的とする。
【０００７】
【課題を解決するための手段】
請求項１に記載の発明は、水路の深さ方向全水深に亘って延びるとともに幅方向で前記水路間に亘って延びる膜構造物を備えた防潮・防波堤の展張方法において、水路中央部に位置し水深方向及び長手方向に畳まれた状態の膜構造物の両端を水路の両岸に展張させ、次いで深さ方向に展張することを特徴とする。
【０００８】
この発明においては、膜構造物を水路の一方の岸から他方の岸に展張するよりも、展張距離が半分で済むため、迅速に展張を行うことができる。
【０００９】
請求項２に記載の発明は、水路の深さ方向全水深に亘って延びるとともに幅方向で前記水路間に亘って延びる膜構造物を備えた防潮・防波堤の展張方法において、水路にせり出した状態と、水路から退いた状態とに位置することができる梁に、前記膜構造物が上端を固定され、かつ格納自在に設けられ、前記膜構造物を前記梁に格納した状態で該梁を水路にせり出させ、次いで膜構造物を水中に展張することを特徴とする。
【００１０】
この発明においては、梁を移動させることで、迅速に膜構造物を展張することができる。また、梁を移動させる際には膜構造物を梁に格納することで、水の抵抗を防ぐ。
梁を水路にせり出させるためには、例えば、梁の一端を岸にて回転自在に支持し、梁の他端側を岸側と水路側とに回動自在にすることが挙げられる。また、梁は、剛構造物、または、浮体を用いることが考えられる。剛構造物の場合には、ワイヤで吊っておくことで重量を支持することができる。
【００１１】
請求項３に記載の発明は、水路の深さ方向全水深に亘って延びるとともに幅方向で前記水路間に亘って延びる膜構造物を備えた防潮・防波堤において、水路にせり出した状態と、水路から退いた状態とに位置することができる梁を備え、該梁に、前記膜構造物が上端を固定され、かつ格納自在に設けられていることを特徴とする。
【００１２】
この発明においては、膜構造物を梁に格納した状態で梁を水路にせり出させ、次いで膜構造物を水中に展張する。このようにすることで、迅速に膜構造物を展張することができる。
梁を水路にせり出させるためには、例えば、梁の一端を岸にて回転自在に支持し、梁の他端側を岸側と水路側とに回動自在にすることが挙げられる。また、梁は、剛構造物、または、浮体を用いることが考えられる。剛構造物の場合には、ワイヤで吊っておくことで重量を支持することができる。
【００１３】
請求項４に記載の発明は、水路の深さ方向全水深に亘って延びるとともに幅方向で前記水路間に亘って延びる膜構造物を備えた防潮・防波堤の展張方法において、両端がそれぞれ梁に固定された膜構造物を、水底または水面において、前記膜構造物が略水平面を向いた状態のまま展張し、次いで前記両方の梁を略垂直姿勢とすることを特徴とする。
【００１４】
この発明によれば、膜構造物の両端には梁が設けられ、この梁を水路両岸に固定することで膜構造物を展張することができる。したがって膜構造物が備えるケーブルワイヤを逐一固定する必要が無く、迅速に展張できる。
【００１５】
請求項５に記載の発明は、水路の深さ方向全水深に亘って延びるとともに幅方向で前記水路間に亘って延びる膜構造物を備えた防潮・防波堤において、前記膜構造物は、梁と梁との間に張られ、該梁は、前記水路両岸に設けられた基礎に、前記水路に沿って一方向からの水圧により脱落可能に固定されていることを特徴とする。
【００１６】
この発明によれば、膜構造物の両端には梁が設けられ、この梁を水路両岸に固定することで膜構造物を展張することができる。したがって膜構造物が備えるケーブルワイヤを逐一固定する必要が無く、迅速に展張できる。
さらに、展張された膜構造物を挟んで一側（例えば港内）の水位が高くなった場合、水圧により膜構造物が基礎から脱落するから、港内の水を港外へ逃がすことができる。
【００１７】
請求項６に記載の発明は、水路の深さ方向全水深に亘って延びるとともに幅方向で前記水路間に亘って延びる膜構造物を備えた防潮・防波堤の展張方法において、膜構造物の上端に浮体が設けられていると共に、該膜構造物は前記浮体に格納可能に設けられ、該浮体は、長手方向の一端を回転中心として水路の長手方向に沿った方向の姿勢と、水路を横断する方向の姿勢とを取ることができ、前記膜構造物を前記浮体に格納した状態で該浮体を水路を横断する方向に変え、次いで膜構造物を水中に展張させることを特徴とする。
【００１８】
この発明においては、浮体を移動させることで、迅速に膜構造物を展張することができる。また、浮体を移動させる際には膜構造物を浮体に格納することで、水の抵抗を防ぐ。
【００１９】
請求項７に記載の発明は、水路の深さ方向全水深に亘って延びるとともに幅方向で前記水路間に亘って延びる膜構造物を備えた防潮・防波堤において、前記膜構造物の上端に浮体が設けられていると共に、該膜構造物は前記浮体に格納可能に設けられ、前記浮体は、長手方向の一端を回転中心として水路の長手方向に沿った方向の姿勢と、水路を横断する方向の姿勢とを取ることができることを特徴とする。
【００２０】
この発明においては、膜構造物を浮体に格納した状態で、浮体を水路を横断する方向に移動させる。そして膜構造物を水中に展張させる。このようにすることで、迅速に膜構造物を展張することができる。また、浮体を移動させる際には膜構造物を浮体に格納することで、水の抵抗を防ぐ。
【００２１】
請求項８に記載の発明は、水路の深さ方向全水深に亘って延びるとともに幅方向で前記水路間に亘って延びる膜構造物を備えた防潮・防波堤の展張方法において、膜構造物の上端に浮体が設けられていると共に、前記膜構造物は前記浮体に格納可能に設けられ、前記浮体は、伸長して水路の両岸に渡された状態と、長手方向一端部側に収縮した状態とを取ることができ、前記膜構造物を前記浮体に格納した状態で該浮体を伸長して水路を渡し、次いで膜構造物を水中に展張させることを特徴とする。
【００２２】
この発明においては、浮体を伸長させることで、迅速に膜構造物を展張することができる。また、浮体を伸長させる際には膜構造物を浮体に格納することで、水の抵抗を防ぐ。
【００２３】
請求項９に記載の発明は、水路の深さ方向全水深に亘って延びるとともに幅方向で前記水路間に亘って延びる膜構造物を備えた防潮・防波堤において、膜構造物の上端に浮体が設けられていると共に、前記膜構造物は前記浮体に格納可能に設けられ、前記浮体は、伸長して水路の両岸に渡された状態と、長手方向一端部側に収縮した状態とを取ることができることを特徴とする。
【００２４】
この発明においては、膜構造物を浮体に格納した状態で、浮体を伸長させて水路の両岸に渡された状態とする。そして膜構造物を水中に展張させる。このようにすることで、容易に膜構造物を展張することができる。また、浮体を伸長させる際には膜構造物を浮体に格納することで、水の抵抗を防ぐ。
【００２５】
【発明の実施の形態】
次に、本発明の第１実施形態について図面を参照して説明する。なお、従来と同一の構成については同一の符号を用い、その説明を省略する。
図１は本実施形態の防潮堤であり、符号５は浮体である。本実施形態においては、ケーブルワイヤ１ｂ、膜部材１ａ等が浮体５に巻き上げられた状態で格納されている。浮体５は図３のように、膜部材１ａの上部に複数設けられており、図１の格納状態では、浮体５に膜部材１ａが巻き上げられ、さらに長手方向に折り畳まれている。
本膜構造物では、図１のように折り畳まれた浮体５をアンカレイジ２Ｒ、２Ｌ間の水上に移動させ、次いで図２のように浮体５をアンカレイジ２Ｒ、２Ｌ間に亘って左右に広げ、さらに図３のように膜部材１ａを下方に展張する。そして膜部材１ａ（ケーブルワイヤ１ｂ）の端部をアンカレイジ２Ｒ、２Ｌに固定する。このように展張を行うことで、膜構造物を広げる距離はアンカレイジ２Ｒ、２Ｌ間の距離の半分で済むため、迅速に展張を行うことができる。また、左右のアンカレイジ２Ｒ、２Ｌからそれぞれ水路中央まで膜構造物を広げ、水路中央部でこれら左右の膜構造物をつきあわせて固定することに比べると、以下の点で有利である。すなわち、左右の膜構造物を水路中央でつきあわせる場合には、ケーブルワイヤ１ｂを互いに連結するような構成が必要であり、構造が複雑になってしまうと共にケーブルワイヤ１ｂのフレキシブル性が失われる。一方、本実施形態のように取り付ける場合には、ケーブルワイヤ１ｂをアンカレイジ２Ｒ、２Ｌに固定するための構造は、アンカレイジ２Ｒ、２Ｌ側に設けておくことができる。したがって、膜構造物のフレキシブル性は失われないし、取り付け作業も容易である。
【００２６】
次に、本発明の第２実施形態について説明する。なお、従来と同一の構成については同一の符号を用い、その説明を省略する。
図４において、符号６は梁部材である。梁部材６は、展張した膜構造物１の上縁長手方向に連続して複数設けられている。また膜構造物１は梁部材６に巻き上げられ格納可能となっている（梁部材６と一体とすることが可能である）。
少なくとも一方のアンカレイジ２Ｒ、２Ｌは従来より高さが高く、各梁部材６がワイヤ７により吊られている。また、同アンカレイジ２Ｒ、２Ｌは鉛直方向の回転軸を以て回転自在となっている。
このように構成された本防潮・防波堤においては、膜構造物は以下のように展張される。
まず、格納状態（不使用状態）においては、図５の符号Ａで示したように梁部材６とともに一方のアンカレイジ２Ｒ、２Ｌが水路から退行した状態となっている。また、膜構造物１は上昇した状態であって梁部材６側に格納されている。
この状態から一方のアンカレイジ２Ｒ、２Ｌを回転させて梁部材６を水路に出す。次いで膜構造物１を降ろして水中に展張する。そしてケーブルワイヤ１ｂの端部をアンカレイジ２Ｒ、２Ｌに固定する。
以上のように、本実施形態によれば迅速に展張を行うことができる。
なお、水路幅が小さい場合には、一方のアンカレイジ２Ｒ、２Ｌを上記のように回転させて展張を行うようにしてよいが、水路幅が大きい場合には、両方のアンカレイジ２Ｒ、２Ｌを回転自在として、水路の中央部で左右の膜構造物を相互に固定するようにしても良い。
なお、上記の梁部材６は剛体であってワイヤ７で重量が支持されているが、剛体の代わりに浮体を用いても良い。この場合には吊るためのワイヤ７を不用とすることができる。
【００２７】
次に、本発明の第３実施形態について説明する。なお、従来と同一の構成については同一の符号を用い、その説明を省略する。
図６に示したように、本実施形態の防潮堤においては、膜構造物１が海底にて展張される。図において符号１０は梁部材であり、これら梁部材１０の間に各ケーブルワイヤ１ｂが固定されている。
まず、格納状態においては、膜構造物は海底面に寝た状態となっており、左右の梁部材１０は接近した状態（膜構造物が畳まれた状態）となっている。使用時には、この状態から梁部材１０を水路の左右に広げる。（図６の符号Ａで示した状態）。そして、梁部材１０を海底上の下端を回転中心として起こして垂直の姿勢にする（図６の符号Ｂで示した状態）。この回転は、梁部材１０内部のバラスト調整または機械的に回転させることにより行う。
図７は梁部材１０の取り付け構造である。梁部材１０は、アンカレイジ２Ｒ、２Ｌに設けられた凹部１１に嵌め込まれる。この際、梁部材１０と凹部１１とは完全には固定されず、離脱可能となっている。なお、凹部１１は港外側に設けられている。
このような構成となっていることにより、膜構造物１を迅速に展張することができるだけではなく、以下の効果を得ることができる。すなわち、港外が港内より高水位となっている場合には、水圧によって膜構造物１が港内側へ押され、梁部材１０は凹部１１に押し付けられる。したがって港外の水は膜構造物１により遮水され、港内には流れ込まない。一方、港内側の水位が港外側より高くなった場合には、膜構造物１は水圧によって港外側へ押され、梁部材１０は凹部１１からはずれて港内の水は港外へ流れ出すことができる。
【００２８】
なお、変形例として、以下の第４実施形態としても良い。
図８に示すように、海上で展張させても良い。海上で梁部材１０を離して膜構造物１を略水平状態に展張させてから、梁部材１０の一端をアンカレイジ２Ｒ、２Ｌに回動自在に固定し、次いで梁部材１０内部のバラスト調整または機械的に梁部材１０を回転させ、一端を水中に移動させる。
以上の展張方法を採用することにより、本実施形態によれば迅速に展張を行うことができる。
【００２９】
次に、本発明の第５実施形態について説明する。なお、従来と同一の構成については同一の符号を用い、その説明を省略する。
図９に示したものは本実施形態の防潮堤であり、符号Ａは格納された状態であり、符号Ｂは使用されている状態である。また、符号１５は浮体であり、剛性を有する。膜構造物１の上端がこの浮体１５に固定されており、格納状態Ａでは膜構造物１は上方に巻き上げられ、浮体１５に格納されている（浮体１５と一体となっている）。また、浮体１５は一端が水路の一側において回転自在に支持されている。
このように構成された防潮堤では、格納状態Ａにある防潮堤を、曳航船などによりＢの位置に回転移動させる。そして、膜構造物１を水中に展張し、両端をアンカレイジ２Ｒ、２Ｌに固定する。
以上の展張方法を採用することにより、本実施形態によれば迅速に展張を行うことができる。
【００３０】
なお、上記実施形態の変形例として以下のように構成しても良い。
図１０に示すように、浮体１５’を長手方向に伸縮自在とする。すなわち、伸長して水路の両岸に渡された状態Ｂと、長手方向一端部側に収縮した状態Ａとを取ることができる。
このように構成することで、浮体１５’を伸長させることで容易に膜構造物１を展張することができる。また、浮体１５’を伸長させる際には膜構造物１を浮体に格納することで、水の抵抗を防ぐことができる。
【００３１】
なお、以上各実施形態が適用される場所は、港内と港外との境界に限らず、水路であれば、いかなる場所（河川、運河など）であっても良いのはもちろんである。
また、上記各実施形態の防潮堤を防波堤として適用することも可能である。
【００３２】
【発明の効果】
以上説明したように、本発明においては以下の効果を得ることができる。
請求項１に記載の発明によれば、膜構造物を水路の一方の岸から他方の岸に展張するよりも、展張距離が半分で済むため、迅速に展張を行うことができる。
請求項２に記載の発明によれば、梁を移動させることで、迅速に膜構造物を展張することができる。
請求項３に記載の発明によれば、膜構造物を梁に格納した状態で梁を水路にせり出させ、次いで膜構造物を水中に展張する。このようにすることにより、迅速に膜構造物を展張することができる。
請求項４に記載の発明によれば、膜構造物が備えるケーブルワイヤを逐一固定する必要が無いので、迅速に展張できる。
請求項５に記載の発明によれば、膜構造物が備えるケーブルワイヤを逐一固定する必要が無く、迅速に展張できる。
請求項６に記載の発明によれば、浮体を移動させることで、容易に膜構造物を展張することができる。
請求項７に記載の発明によれば、膜構造物を浮体に格納した状態で、浮体を水路を横断する方向に移動させる。そして膜構造物を水中に展張させる。このようにすることで、迅速に膜構造物を展張することができる。
請求項８に記載の発明によれば、浮体を伸長させることで、迅速に膜構造物を展張することができる。
請求項９に記載の発明によれば、膜構造物を浮体に格納した状態で、浮体を伸長させる。そして膜構造物を水中に展張させる。このようにすることで、迅速に膜構造物を展張することができる。
【図面の簡単な説明】
【図１】本発明の第１実施形態として示した防潮堤の概略斜視図であり、膜構造物の展張前の状態である。
【図２】同膜構造物の展張中の状態である。
【図３】同膜構造物の展張後の状態である。
【図４】本発明の第２実施形態の防潮堤を示した斜視図である。
【図５】同防潮堤において、梁部材を回転させて水路にせり出させる状態を示した図である。
【図６】本発明の第３実施形態として示した防潮堤の概略斜視図である。
【図７】同防潮堤における梁部材の取り付け構造について示した図である。
【図８】同防潮堤の変形例としての第４実施形態について示した図である。
【図９】本発明の第５実施形態として示した防潮堤の平面図である。
【図１０】同防潮堤の変形例について示した平面図である。
【図１１】従来の防潮・防波堤の平面図である。
【図１２】同防潮・防波堤の格納時の状態を示した図である。
【図１３】同防潮・防波堤体の側断面図である。
【図１４】同防潮・防波堤の部分を示した正面図である。
【符号の説明】
１  膜構造物
２Ｒ、２Ｌ  アンカレイジ
５  浮体
６  梁部材
１５  浮体
１５’  浮体
【図１】
2004176452.tif 000003
【図２】
2004176452.tif 000004
【図３】
2004176452.tif 000005
【図４】
2004176452.tif 000006
【図５】
2004176452.tif 000007
【図６】
2004176452.tif 000008
【図７】
2004176452.tif 000009
【図８】
2004176452.tif 000010
【図９】
2004176452.tif 000011
【図１０】
2004176452.tif 000012
【図１１】
2004176452.tif 000013
【図１２】
2004176452.tif 000014
【図１３】
2004176452.tif 000015
【図１４】
2004176452.tif 000016